(57)【要約】【課題】心臓の房室の心壁上の関心部位を二次元画像上で三次元的に表現・記録する【解決手段】本発明に係る画像処理装置は、心臓の房室を所定方向から撮像したＸ線透視画像に基づく第１の二次元画像に、房室の心壁上の所定の関心部位を示すマーカを重畳した第２の二次元画像を生成する画像処理部と、所定方向から見た奥行き方向を含む、関心部位の位置情報を取得する取得部と、を備え、画像処理部は、関心部位の位置情報に基づき、該関心部位を示すマーカの態様を異ならせる。【選択図】図１
2019154927.tif 000002
【特許請求の範囲】
【請求項１】
心臓の房室を所定方向から撮像したＸ線透視画像に基づく第１の二次元画像に、前記房室の心壁上の所定の関心部位を示すマーカを重畳した第２の二次元画像を生成する画像処理部と、
前記所定方向から見た奥行き方向を含む、前記関心部位の位置情報を取得する取得部と、を備え、
前記画像処理部は、前記関心部位の位置情報に基づき、該関心部位を示すマーカの態様を異ならせることを特徴とする画像処理装置。
【請求項２】
請求項１に記載の画像処理装置において、
前記位置情報には、前記関心部位が、前記所定方向から見て、前記房室の手前側の心壁上に存在するか、前記房室の奥側の心壁上に存在するかを示す情報が含まれ、
前記画像処理部は、前記関心部位の位置情報に基づき、該関心部位が、前記房室の手前側の心壁上に存在するか、前記房室の奥側の心壁上に存在するかに応じて、前記関心部位を示すマーカの態様を異ならせることを特徴とする画像処理装置。
【請求項３】
請求項１または２に記載の画像処理装置において、
前記関心部位は、前記心臓の前記房室に挿入されたカテーテルを介して注入材が注入された注入部位であることを特徴とする画像処理装置。
【請求項４】
請求項１または２に記載の画像処理装置において、
前記関心部位は、心筋の梗塞部位または前記心壁が薄壁化した薄壁部位であることを特徴とする画像処理装置。
【請求項５】
請求項１から４のいずれか一項に記載の画像処理装置において、
前記画像処理部は、前記心臓の前記房室の拡張期および収縮期の少なくとも一方のＸ線透視画像を取得し、該取得したＸ線透視画像に基づき、前記第１の二次元画像を生成することを特徴とする画像処理装置。
【請求項６】
請求項１から４のいずれか一項に記載の画像処理装置において、
前記画像処理部は、前記心臓の前記房室の三次元構造を示す三次元構造データを取得し、該取得した三次元構造データおよび前記Ｘ線透視画像に基づき、前記第１の二次元画像を生成することを特徴とする画像処理装置。
【請求項７】
請求項１から６のいずれか一項に記載の画像処理装置において、
前記画像処理部は、前記心臓の前記房室の心壁の心電位を示す心電位情報を取得し、該取得した心電位情報に示される心電位を前記第２の二次元画像にマッピングすることを特徴とする画像処理装置。
【請求項８】
請求項１から７のいずれか一項に記載の画像処理装置において、
前記画像処理部は、前記心臓の前記房室の心壁の壁運動を示す壁運動情報を取得し、該取得した壁運動情報に示される壁運動を前記第２の二次元画像にマッピングすることを特徴とする画像処理装置。
【請求項９】
請求項１から８のいずれか一項に記載の画像処理装置において、
前記画像処理部は、前記生成した第２の二次元画像を表示装置に表示することを特徴とする画像処理装置。
【請求項１０】
請求項１から８のいずれか一項に記載の画像処理装置において、
前記画像処理部は、前記生成した第２の二次元画像を前記Ｘ線透視画像に重畳して表示することを特徴とする画像処理装置。
【請求項１１】
請求項１から１０のいずれか一項に記載の画像処理装置において、
前記画像処理部は、前記生成した第２の二次元画像を用いて、前記心臓の前記房室を三次元表示した三次元画像およびブルズアイ画像の少なくとも一方を生成することを特徴とする画像処理装置。
【請求項１２】
請求項１から１１のいずれか一項に記載の画像処理装置において、
前記画像処理部は、前記生成した第２の二次元画像を記憶手段に記憶することを特徴とする画像処理装置。
【請求項１３】
画像処理装置が実行する画像処理方法であって、
心臓の房室を所定方向から見た奥行き方向を含む、前記心臓の前記房室の心壁上の所定の関心部位の位置情報を取得するステップと、
前記所定方向から前記心臓の前記房室を撮像したＸ線透視画像に基づく第１の二次元画像に、前記関心部位を示すマーカを重畳した第２の二次元画像を生成するステップと、を含み、
前記関心部位の位置情報に基づき、該関心部位を示すマーカの態様を異ならせることを特徴とする画像処理方法。
【請求項１４】
コンピュータを請求項１から１２のいずれか一項に記載の画像処理装置として機能させるプログラム。
【発明の詳細な説明】
【技術分野】
【０００１】
本発明は、画像処理装置、画像処理方法およびプログラムに関する。
【背景技術】
【０００２】
心不全などの治療において、細胞などの生体物質またはバイオマテリアルなどの注入材を、大腿動脈などを介して心臓の房室内に挿入したカテーテルなどの器具を用いて、房室の周囲の組織（例えば、左心室の周囲の心筋）に注入し、血管新生、細胞分化などの治療効果を期待する治療が検討されている。
【０００３】
上述したようなカテーテルを用いて注入材を注入する治療にあたっては、注入部位の確認、術後の治療効果の確認などのために、梗塞部位、注入材を注入した注入部位などの関心部位を、三次元的に表現・記録することが望まれる。
【０００４】
上述したようなカテーテルを用いて注入材を注入する手技中は、術者は、心臓を所定方向からＸ線透視したＸ線透視画像を見ながら手技を行うのが一般的である。しかしながら、Ｘ線透視画像では、三次元構造である心臓の房室を表現・記録することが困難である。また、関心部位を表現・記録する方法としては、Ｘ線透視画像にＯＨＰ（Overhead Projector）シートを重ね合わせて、関心部位をＯＨＰシート上に表現・記録する方法がある。しかしながら、この方法では、関心部位の位置を二次元的にしか表現・記録することができず、奥行き方向の情報については、表現・記録することができない。
【０００５】
また、特許文献１には、心臓を二方向から撮像した２つのＸ線透視画像上にそれぞれ、関心部位の位置を記録し、関心部位の位置を記録した２つのＸ線透視画像を用いて、心臓を三次元的に表現した三次元画像を再構築する方法が開示されている。
【先行技術文献】
【特許文献】
【０００６】
【特許文献１】特開２００２−１５３４４３号公報
【発明の概要】
【発明が解決しようとする課題】
【０００７】
特許文献１に開示されている方法では、二方向からの心臓の撮像、二方向からの撮像により得られた２つのＸ線透視画像それぞれへの関心部位の記録、関心部位を記録した２つのＸ線透視画像を用いた三次元画像の再構築といった処理が必要となり、処理負荷の増加を招いてしまう。そのため、より簡易に関心部位を二次元画像上で三次元的に表現・記録する手法が求められている。
【０００８】
上記のような問題点に鑑みてなされた本発明の目的は、より簡易に心臓の房室の心壁上の関心部位を二次元画像上で三次元的に表現・記録することができる画像処理装置、画像処理方法およびプログラムを提供することにある。
【課題を解決するための手段】
【０００９】
本発明の第１の態様としての画像処理装置は、心臓の房室を所定方向から撮像したＸ線透視画像に基づく第１の二次元画像に、前記房室の心壁上の所定の関心部位を示すマーカを重畳した第２の二次元画像を生成する画像処理部と、前記所定方向から見た奥行き方向を含む、前記関心部位の位置情報を取得する取得部と、を備え、前記画像処理部は、前記関心部位の位置情報に基づき、該関心部位を示すマーカの態様を異ならせる。
【００１０】
本発明の１つの実施形態として、前記位置情報には、前記関心部位が、前記所定方向から見て、前記房室の手前側の心壁上に存在するか、前記房室の奥側の心壁上に存在するかを示す情報が含まれ、前記画像処理部は、前記関心部位の位置情報に基づき、該関心部位が、前記房室の手前側の心壁上に存在するか、前記房室の奥側の心壁上に存在するかに応じて、前記関心部位を示すマーカの態様を異ならせる。
【００１１】
本発明の１つの実施形態として、前記関心部位は、前記心臓の前記房室に挿入されたカテーテルを介して注入材が注入された注入部位である。
【００１２】
本発明の１つの実施形態として、前記関心部位は、心筋の梗塞部位または前記心壁が薄壁化した薄壁部位である。
【００１３】
本発明の１つの実施形態として、前記画像処理部は、前記心臓の前記房室の拡張期および収縮期の少なくとも一方のＸ線透視画像を取得し、該取得したＸ線透視画像に基づき、前記第１の二次元画像を生成する。
【００１４】
本発明の１つの実施形態として、前記画像処理部は、前記心臓の前記房室の三次元構造を示す三次元構造データを取得し、該取得した三次元構造データおよび前記Ｘ線透視画像に基づき、前記第１の二次元画像を生成する。
【００１５】
本発明の１つの実施形態として、前記画像処理部は、前記心臓の前記房室の心壁の心電位を示す心電位情報を取得し、該取得した心電位情報に示される心電位を前記第２の二次元画像にマッピングする。
【００１６】
本発明の１つの実施形態として、前記画像処理部は、前記心臓の前記房室の心壁の壁運動を示す壁運動情報を取得し、該取得した壁運動情報に示される壁運動を前記第２の二次元画像にマッピングする。
【００１７】
本発明の１つの実施形態として、前記画像処理部は、前記生成した第２の二次元画像を表示装置に表示することを特徴とする。
【００１８】
本発明の１つの実施形態として、前記画像処理部は、前記生成した第２の二次元画像を前記Ｘ線透視画像に重畳して表示する。
【００１９】
本発明の１つの実施形態として、前記画像処理部は、前記生成した第２の二次元画像を用いて、前記心臓の前記房室を三次元表示した三次元画像およびブルズアイ画像の少なくとも一方を生成する。
【００２０】
本発明の１つの実施形態として、前記画像処理部は、前記生成した第２の二次元画像を記憶手段に記憶する。
【００２１】
本発明の第２の態様としての画像処理方法は、画像処理装置が実行する画像処理方法であって、心臓の房室を所定方向から見た奥行き方向を含む、前記心臓の前記房室の心壁上の所定の関心部位の位置情報を取得するステップと、前記所定方向から前記心臓の前記房室を撮像したＸ線透視画像に基づく第１の二次元画像に、前記関心部位を示すマーカを重畳した第２の二次元画像を生成するステップと、を含み、前記関心部位の位置情報に基づき、該関心部位を示すマーカの態様を異ならせる。
【００２２】
本発明の第３の態様としてのプログラムは、コンピュータを上記の画像処理装置として機能させる。
【発明の効果】
【００２３】
本発明に係る画像処理装置、画像処理方法およびプログラムによれば、より簡易に心臓の房室の心壁上の関心部位を二次元画像上で三次元的に表現・記録することができる。
【図面の簡単な説明】
【００２４】
【図１】本発明の一実施形態に係る画像処理装置の構成例を示す図である。
【図２】カテーテルが挿入された心臓のＸ線透視画像の一例を示す図である。
【図３】図１に示す画像処理部が生成する記録画像の一例を示す図である。
【図４】図１に示す画像処理部が生成する記録画像の他の一例を示す図である。
【図５】図１に示す画像処理部が生成する記録画像の更に別の一例を示す図である。
【図６】図１に示す画像処理装置の動作の一例を示すフローチャートである。
【図７】カテーテルの先端部近傍を示す図である。
【図８】図７に示す白抜き矢印Ｐ１の方向に向かってカテーテルの先端部を見た場合についての造影マーカの見え方を示す図である。
【発明を実施するための形態】
【００２５】
以下、本発明を実施するための形態について、図面を参照しながら説明する。各図中、同一符号は、同一または同等の構成要素を示している。
【００２６】
図１は、本発明の一実施形態に係る画像処理装置１０の構成例を示す図である。本実施形態に係る画像処理装置１０は、カテーテルを心臓の房室に挿入して、房室内の心筋に注入材を注入する手技などにおいて、カテーテルを介して注入材が注入された注入部位、梗塞部位、心壁が薄壁化した薄壁部位などの関心部位を表現・記録した二次元画像を生成するものである。なお、本発明は、上述した手技に限られるものではなく、房室内の心筋を焼灼するアブレーション手技、房室内の心筋の一部を採取して検査する心筋生検手技などにおける関心部位の表現・記録に適用することも可能である。以下では、カテーテルを用いて房室内の心筋に注入材を注入する手技に適用する場合を例として説明する。
【００２７】
図１に示す画像処理装置１０は、取得部１１と、画像処理部１２と、記憶部１３とを備える。
【００２８】
上述したように、カテーテルを心臓の房室に挿入して、房室内の心筋に注入材を注入する手技中には、心臓の房室が所定方向からＸ線透視装置により撮像される。そして、撮像により得られたＸ線透視画像が、術者などが視認可能なようにして表示装置２０に表示される。取得部１１は、Ｘ線透視装置により心臓の房室を撮像した所定方向から見た奥行き方向を含む、関心部位の位置情報を取得する。ここで、位置情報には、関心部位が、所定方向から見て、房室の手前側の心壁上に存在するか、房室の奥側の心壁上に存在するかを示す情報が含まれる。
【００２９】
取得部１１は、例えば、カテーテルを心臓に挿入する術者により判断された注入部位の位置に関する入力を、位置情報として取得する。また、取得部１１は、カテーテルを用いて心臓の房室内の心筋に注入材を注入する手技中のＸ線透視画像を取得し、取得したＸ線透視画像の画像解析によりカテーテルの先端部の位置を特定することで、注入部位の位置情報を取得してもよい。
【００３０】
図２は、カテーテルを挿入した心臓（左心室）のＸ線透視画像の一例である。
【００３１】
図２に示すように、カテーテルの先端部に造影マーカを設けることで、Ｘ線透視画像において、カテーテルの先端部の位置を特定することができる。したがって、取得部１１は、Ｘ線透視画像におけるカテーテルの先端部の造影マーカの位置に基づき、カテーテルの先端部の位置を特定することができる。取得部１１は、注入材が注入されたタイミングでのカテーテルの先端部の位置に基づき、注入部位の位置情報を取得することができる。注入材が注入されたタイミングは、例えば、術者により判断され、画像処理装置１０に入力される。
【００３２】
本実施形態では、カテーテルの先端部のうち先端を含む位置に造影マーカが設けられている。カテーテルの先端部であることを特定するためには、例えは、カテーテルの先端部に、カテーテルの他の部分よりも大きい造影マーカ、カテーテルの他の部分よりもＸ線透視画像において濃く造影される造影マーカ、特殊な形状の造影マーカなどを設けることが考えられる。なお、Ｘ線透視画像からでは、カテーテルの先端部が、Ｘ線透視画像の撮像方向から見て、手前側の心壁に接触しているのか、奥側の心壁に接触しているのかを判別することができない場合がある。しかしながら、カテーテルに特定の形状の造影マーカを設けることで、Ｘ線透視画像から、カテーテルの先端部が、手前側の心壁に接触しているのか、奥側の心壁に接触しているのかを判別することができる。このような造影マーカの形状の詳細については後述する。
【００３３】
また、取得部１１は、超音波診断装置、Ｘ線ＣＴ（Computed Tomography）装置、ＭＲＩ（Magnetic Resonance Imaging）装置、ＳＰＥＣＴ（Single Photon Emission Computed Tomography）装置、ＰＥＴ（Positron Emission computed Tomography）装置などの撮像装置により心臓を撮像して得られる、心臓の三次元構造を示す三次元構造データに基づき予め特定された梗塞部位、薄壁部位などの位置情報を取得してもよい。取得部１１は、例えば、三次元構造データに基づき術者などにより予め特定された梗塞部位、薄壁部位などの位置の入力を、位置情報として取得する。
【００３４】
図１を再び参照すると、取得部１１は、取得した関心部位の位置情報を画像処理部１２に出力する。
【００３５】
画像処理部１２は、心臓の房室を所定方向から撮像したＸ線透視画像に基づく二次元画像に、房室の心壁上の所定の関心部位を示すマーカを重畳した二次元画像である記録画像を生成する。
【００３６】
具体的には、画像処理部１２は、例えば、心臓の房室を、被検者の体軸を中心として右方向に傾斜した方向から撮影したＸ線透視画像であるＲＡＯ（Right Anterior Oblique）画像に基づき、フォーマット図を生成する。画像処理部１２は、例えば、ＲＡＯ画像から心臓の房室の輪郭を抽出した二次元画像を、フォーマット図（第１の二次元画像）として生成する。そして、画像処理部１２は、フォーマット図に、房室の心壁上の所定の関心部位を示すマーカを重畳した二次元画像である記録画像（第２の二次元画像）を生成する。
【００３７】
ここで、画像処理部１２は、取得部１１により取得された関心部位の位置情報に基づき、その関心部位を示すマーカの態様を異ならせる。具体的には、上述したように、位置情報には、関心部位が、所定方向から見て、房室の手前側の心壁上に存在するか、房室の奥側の心壁上に存在するかを示す情報が含まれる。画像処理部１２は、関心部位の位置情報に基づき、その関心部位が、所定方向から見て、房室の手前側の心壁上に存在するか、奥側の心壁上に存在するかに応じて、その関心部位を示すマーカの態様を異ならせる。
【００３８】
図３は、画像処理部１２が生成する記録画像の一例を示す図である。図３においては、関心部位が、カテーテルを介して注入材が注入された、心筋における注入部位である例を示している。
【００３９】
図３に示すように、画像処理部１２は、例えば、注入部位が、所定方向から見て、手前側の心壁上に存在する場合には、その注入部位を示すマーカとして、丸印のマーカ１２ａを用いる。また、画像処理部１２は、例えば、注入部位が、所定方向から見て、奥側の心壁上に存在する場合には、その注入部位を示すマーカとして、四角印のマーカ１２ｂを用いる。こうすることで、注入部位の奥行き方向の情報についても、記録画像上で表現・記録することができる。
【００４０】
また、画像処理部１２は、各注入部位を示すマーカに、注入が行われた順番などを付加してもよい。図３の例では、６箇所に注入が行われ、１番目、３番目、５番目の注入部位は、所定方向から見て、奥側の心壁上に存在し、２番目、４番目、６番目の注入部位は、所定方向から見て、手前側の心壁上に存在する。なお、奥行き方向の位置に応じたマーカの態様は、図３に示す例に限られるものではなく、手前側と奥側とでマーカを識別可能であれば、種々の態様を用いることができる。また、例えば、関心部位の位置情報として、注入材を注入する候補の部位である候補部位の位置情報を取得し、候補部位を示すマーカに、実際に注入材を注入したか否かを示す情報（例えば、「ＯＫ」、「ＮＧ」）を付加してもよい。なお、候補部位の位置情報は、例えば、術前に超音波診断装置、Ｘ線ＣＴ装置、ＭＲＩ装置、ＳＰＥＣＴ装置、ＰＥＴ装置などの撮像装置により心臓を撮像することで得られる三次元構造データに基づき取得することができる。
【００４１】
図４は、画像処理部１２が生成する記録画像の他の一例を示す図である。図４においては、関心部位が、梗塞部位または薄壁部位である例を示している。
【００４２】
図４に示すように、画像処理部１２は、例えば、梗塞部位または薄壁部位が、所定方向から見て、手前側の心壁上に存在する場合には、その梗塞部位または薄壁部位を示すマーカとして、右上がりのハッチングが付されたマーカ１２ｃを用いる。また、画像処理部１２は、例えば、梗塞部位または薄壁部位が、所定方向から見て、奥側の心壁上に存在する場合には、その梗塞部位および薄壁部位を示すマーカとして、右下がりのハッチングが付されたマーカ１２ｄを用いる。こうすることで、梗塞部位および薄壁部位の奥行き方向の情報についても、記録画像上で表現・記録することができる。
【００４３】
なお、奥行き方向の位置に応じたマーカの態様は、図４に示す例に限られるものではなく、手前側と奥側とでマーカを識別可能であれば、種々の態様を用いることができる。例えば、手前側の心壁上の梗塞部位または薄壁部位を示すマーカには、縦向きのハッチングを付し、奥側の心壁上の梗塞部位または薄壁部位を示すマーカには、横向きのハッチングを付してもよい。また、例えば、手前側の心壁上の梗塞部位または薄壁部位を示すマーカと、奥側の心壁上の梗塞部位または薄壁部位を示すマーカとで色を異ならせてもよい。また、例えば、手前側の心壁上の梗塞部位または薄壁部位を示すマーカと、奥側の心壁上の梗塞部位または薄壁部位を示すマーカとで異なる記号を用いてもよい。
【００４４】
図１を再び参照すると、画像処理部１２は、生成した記録画像を表示装置２０に表示してもよい。また、画像処理部１２は、生成した記録画像を、Ｘ線透視画像に重畳して表示装置２０に表示してもよい。なお、表示装置２０は、例えば、術者が視認可能に設けられたディスプレイ装置、あるいは、術者に装着されるヘッドマウントディスプレイなどである。また、表示装置２０が据え置き型のディスプレイ装置である場合には、表示装置２０に表示されたＸ線透視画像に、プロジェクタなどを用いて記録画像を投影し、Ｘ線透視画像と重畳して表示してもよい。
【００４５】
また、画像処理部１２は、生成した記録画像を記憶手段としての記憶部１３に記憶させてもよい。なお、画像処理装置１０が必ずしも記憶部１３を備えている必要は無い。画像処理部１２は、外部の記憶手段に記録画像を転送し、記憶させてもよい。
【００４６】
上述したように、画像処理部１２は、心臓の房室を所定方向から撮像したＸ線透視画像に基づきフォーマット図を生成する。ここで、画像処理部１２は、房室をＸ線造影剤で造影したときの心臓の心電図波形から、拡張期および収縮期の少なくとも一方のＸ線透視画像を取得し、取得したＸ線透視画像における房室の輪郭に基づき、フォーマット図を作成する。また、画像処理部１２は、拡張期および収縮期それぞれのＸ線透視画像を取得し、取得した拡張期および収縮期のＸ線透視画像における房室の輪郭に基づき、拡張期および収縮期それぞれのフォーマット図を生成してもよい。こうすることで、より正確な形状のフォーマット図を生成することができる。また、画像処理部１２は、虚血性心筋症、拡張型心筋症、収縮型心筋症などのような、治療対象疾患として典型的な心臓の房室を所定方向から撮像したＸ線透視画像に基づいて生成されたフォーマット図を代表モデルとして使用してもよい。また、画像処理部１２は、標準モデルとして、治療対象疾患を伴わない正常な心臓からフォーマット図を作成してもよい。
【００４７】
また、画像処理部１２は、心臓の房室の三次元構造を示す三次元構造データを取得し、取得した三次元構造データおよびＸ線透視画像に基づき、フォーマット図を生成してもよい。こうすることで、より正確なフォーマット図を生成することができる。なお、三次元構造情報は、超音波診断装置、Ｘ線ＣＴ装置、ＭＲＩ装置、ＳＰＥＣＴ装置、ＰＥＴ装置などの撮像装置を用いて、予め取得することができる。
【００４８】
また、画像処理部１２は、房室の心壁の心電位を示す心電位情報を取得し、図５に示すように、取得した心電位情報に示される心電位を記録画像にマッピングしてもよい。また、画像処理部１２は、心電位を示す心壁が、所定方向から見て手前側の心壁であるのか、奥側の心壁であるのかに応じて、心電位を示す態様を異ならせてもよい。例えば、画像処理部１２は、心電位を示す心壁が、所定方向から見て手前側の心壁であるのか、奥側の心壁であるのかに応じて、心電位を異なる色で表示してもよい。心電位情報を取得する方法としては、例えば、カテーテルの先端部に電極を設け、カテーテルの先端部の電極を心壁に接触させることで、心電位情報を取得する方法がある。
【００４９】
また、画像処理部１２は、房室の心壁の壁運動を示す壁運動情報を取得し、図５に示すように、取得した壁運動情報に示される壁運動を記録画像にマッピングしてもよい。また、画像処理部１２は、壁運動を示す心壁が、所定方向から見て手前側の心壁であるのか、奥側の心壁であるのかに応じて、壁運動を示す態様を異ならせてもよい。例えば、画像処理部１２は、壁運動を示す心壁が、所定方向から見て手前側の心壁であるのか、奥側の心壁であるのかに応じて、壁運動を異なる色で表示してもよい。壁運動情報を取得する方法としては、例えば、カテーテルの先端部に造影マーカを設けて、カテーテルの先端部を心臓の心壁に接触させた状態でＸ線透視装置により心臓を撮像し、得られたＸ線透視画像における造影マーカの変位に基づき、カテーテルの先端部が接触する心壁の壁運動情報を取得する方法がある。
【００５０】
また、画像処理部１２は、関心部位の奥行き方向に関する情報を含む記録画像を用いて、心臓の房室を三次元表示した三次元画像、ブルズアイ画像などを生成し、表示装置２０に表示するなどしてもよい。記録画像には、所定方向から見た奥行き方向の位置に関する情報が含まれている。すなわち、記録画像では、房室内の関心部位の位置が、三次元的に示されている。したがって、画像処理部１２は、１つの記録画像から、三次元画像、ブルズアイ画像などを生成することができる。
【００５１】
次に、本実施形態に係る画像処理装置１０が実行する画像処理方法について、図６を参照して説明する。図６は、画像処理装置１０の動作の一例を示すフローチャートである。
【００５２】
まず、取得部１１は、心臓の房室を所定方向から見た奥行き方向を含む、心臓の房室の心壁上の所定の関心部位の位置情報を取得する（ステップＳ１１）。上述したように、取得部１１は、例えば、術者などによる関心部位の位置に関する入力を、位置情報として取得する。また、取得部１１は、例えば、カテーテルを用いて房室内の心筋に注入材を注入する手技中のＸ線透視画像の画像解析によりカテーテルの先端部の位置を特定することで、注入部位の位置情報を取得する。
【００５３】
次に、画像処理部１２は、所定方向から心臓の房室を撮像したＸ線透視画像に基づくフォーマット図（第１の二次元画像）（図３等における輪郭線を参照）に、関心部位を示すマーカを重畳した記録画像（第２の二次元画像）（図３等参照）を生成する。ここで、画像処理部１２は、取得部１１が取得した関心部位の位置情報に基づき、その関心部位を示すマーカの態様を異ならせる。より具体的には、画像処理部１２は、関心部位の位置情報に基づき、その関心部位が、房室の手前側の心壁上に存在するか、房室の奥側の心壁上に存在するかに応じて、関心部位を示すマーカの態様を異ならせる。こうすることで、心臓の房室の心壁上の関心部位を二次元画像上で三次元的に表現・記録することができる。
【００５４】
次に、カテーテルの先端部が、手前側の心壁に接触しているか、奥側の心壁に接触しているかをＸ線透視画像から判別するために、カテーテルの先端部に設けられる造影マーカの構成について説明する。
【００５５】
図７は、上述した、先端部が、手前側の心壁に接触しているのか、奥側の心壁に接触しているのかを判別することができるカテーテル２の先端部２ａ近傍を示す図である。図７に示すように、カテーテル２の造影マーカ３は、カテーテル２の中心軸線Ｏを含み、中心軸線Ｏと平行する任意の仮想面に対して、非対称な形状を有する。具体的に、図７では、カテーテル２の中心軸線Ｏを含み、中心軸線Ｏと平行する仮想面の例示として、２つの仮想面Ｙ１およびＹ２を示している。図７に示すように、造影マーカ３は、仮想面Ｙ１およびＹ２それぞれに対して、非対称な形状である。換言すれば、造影マーカ３は、カテーテル２の中心軸線Ｏを含み、中心軸線Ｏと平行する全ての仮想面に対して、面対称とならない形状を有している。以下、説明の便宜上、カテーテル２の中心軸線Ｏを含み、中心軸線Ｏと平行する任意の仮想面を単に「仮想面Ｙ」と記載する。
【００５６】
造影マーカ３をこのような構成とすることで、Ｘ線透視画像での造影マーカ３の見え方により、Ｘ線透視画像において投影面と直交する奥手前方向（以下、単に「奥手前方向Ａ」と記載する。）のカテーテル２の動きを識別することができる。
【００５７】
図７に示すように、本実施形態の造影マーカ３は、第１造影マーカ部４と、第２造影マーカ部５と、を備えている。第１造影マーカ部４は、仮想面Ｙのうち、周方向Ｂにおける第２造影マーカ部５の中間位置を通過する第１中間仮想面に対して非対称な形状を有する。また、第２造影マーカ部５は、仮想面Ｙのうち、周方向Ｂにおける第１造影マーカ部４の中間位置を通過する第２中間仮想面に対して非対称な形状を有する。本実施形態における「第１中間仮想面」は、図７に示す仮想面Ｙ１である。また、本実施形態における「第２中間仮想面」は、図７に示す仮想面Ｙ２である。
【００５８】
本実施形態の第１造影マーカ部４は、カテーテル２の周方向Ｂの少なくとも一部の領域に亘って形成されている。より具体的に、本実施形態の第１造影マーカ部４は、周方向Ｂに線状に延在している。また、本実施形態の第１造影マーカ部４は、カテーテル２の先端部２ａに設けられている。より具体的に、本実施形態の第１造影マーカ部４は、カテーテル２の先端面において、周方向Ｂに線状に形成されている。
【００５９】
本実施形態の第２造影マーカ部５は、中心軸線Ｏと平行な中心軸線方向Ｃに沿って線状に延在している。
【００６０】
以下、図７に示す造影マーカ３の見え方により、奥手前方向Ａでのカテーテル２の動きを識別する識別方法について説明する。図８は、図７に示す白抜き矢印Ｐ１の方向に向かってカテーテル２の先端部２ａを見た場合（以下、単に「矢印Ｐ１の視点で見た場合」と記載する。）についての造影マーカ３の見え方を示す図である。
【００６１】
図８（ａ）は、矢印Ｐ１の視点で見た場合に、カテーテル２の先端部２ａが奥手前方向Ａに変形していない状態、すなわち、カテーテル２の先端部２ａが矢印Ｐ１の方向と直交する方向に延在している状態、を示している。図８（ａ）に示す状態のカテーテル２の先端部２ａは、矢印Ｐ１の視点で見た場合に、図８（ｂ）の状態に見える。図８（ｂ）に示すように、矢印Ｐ１の視点で見た場合には、造影マーカ３の第１造影マーカ部４は、中心軸線方向Ｃと直交する径方向Ｄに沿って直線状に延在する形状に見える。また、図８（ｂ）に示すように、矢印Ｐ１の視点で見た場合には、造影マーカ３の第２造影マーカ部５は、中心軸線方向Ｃに沿って直線状に延在する形状に見える。
【００６２】
図８（ｃ）は、矢印Ｐ１の視点で見た場合に、カテーテル２の先端部２ａが、図８（ａ）に示す状態と比較して、奥手前方向Ａの手前方向Ａ２（図８（ｃ）では下方向であり、矢印Ｐ１の視点で見た場合に視点に接近する方向）に変形した状態を示している。図８（ｃ）に示す状態のカテーテル２の先端部２ａは、矢印Ｐ１の視点で見た場合に、図８（ｄ）の状態に見える。図８（ｄ）に示すように、矢印Ｐ１の視点で見た場合には、造影マーカ３の第１造影マーカ部４は、中心軸線方向Ｃの基端側に凸形となる円弧形状に見える。図８（ｄ）に示すように、矢印Ｐ１の視点で見た場合には、造影マーカ３の第２造影マーカ部５は、中心軸線方向Ｃに沿って直線状に延在する形状に見える。図８（ｄ）において中心軸線方向Ｃと直交する径方向Ｄにおける第２造影マーカ部５の位置は、図８（ｂ）の径方向Ｄにおける第２造影マーカ部５の位置と同じである。このように、図８（ｄ）における第１造影マーカ部４の形状は、図８（ｂ）における第１造影マーカ部４の形状と異なる。その一方で、図８（ｄ）における第２造影マーカ部５の位置および形状は、図８（ｂ）における第２造影マーカ部５の位置および形状と同じに見える。
【００６３】
図８（ｅ）は、矢印Ｐ１の視点で見た場合に、カテーテル２の先端部２ａが、図８（ａ）に示す状態と比較して、奥手前方向Ａの奥行き方向Ａ１（図８（ｅ）では上方向であり、矢印Ｐ１の視点で見た場合に視点から遠ざかる方向）に変形した状態を示している。図８（ｅ）に示す状態のカテーテル２の先端部２ａは、矢印Ｐ１の視点で見た場合に、図８（ｆ）の状態に見える。図８（ｆ）に示すように、矢印Ｐ１の視点で見た場合には、造影マーカ３の第１造影マーカ部４は、中心軸線方向Ｃの先端側に凸形となる円弧形状に見える。図８（ｆ）に示すように、矢印Ｐ１の視点で見た場合には、造影マーカ３の第２造影マーカ部５は、中心軸線方向Ｃに沿って直線状に延在する形状に見える。図８（ｆ）において中心軸線方向Ｃと直交する径方向Ｄにおける第２造影マーカ部５の位置は、図８（ｂ）および図８（ｄ）の径方向Ｄにおける第２造影マーカ部５の位置と同じである。つまり、図８（ｆ）における第１造影マーカ部４の形状は、図８（ｂ）および図８（ｄ）における第１造影マーカ部４の形状と異なる。その一方で、図８（ｆ）における第２造影マーカ部５の位置および形状は、図８（ｂ）および図８（ｄ）における第２造影マーカ部５の位置および形状と同じである。
【００６４】
したがって、図７に示す矢印Ｐ１の方向からＸ線を透視することで取得されるＸ線透画像では、第１造影マーカ部４の形状の変化を見ることにより、カテーテル２の先端部２ａの奥手前方向Ａにおける動きを識別することができる。より具体的に、本実施形態では、第１造影マーカ部４の形状が中心軸線方向Ｃの基端側に凸形となる円弧状に見える場合には、奥手前方向Ａの手前方向Ａ２に動いていること、または、動いたこと、を識別することができる（図８（ｃ）、図８（ｄ）参照）。また、本実施形態では、第１造影マーカ部４の形状が中心軸線方向Ｃの先端側に凸形となる円弧状に見える場合には、奥手前方向Ａの奥行き方向Ａ１に動いていること、又は、動いたこと、を識別することができる（図８（ｅ）、図８（ｆ）参照）。
【００６５】
図７に示す白抜き矢印Ｐ２の方向に向かってカテーテル２の先端部２ａを見た場合、図７に示す白抜き矢印Ｐ３の方向に向かってカテーテル２の先端部２ａを見た場合、および、図７に示す白抜き矢印Ｐ４の方向に向かってカテーテル２の先端部２ａを見た場合にも同様に、各方向（矢印Ｐ２〜Ｐ４の方向）からＸ線を透視することで取得されるＸ線透画像では、第１造影マーカ部４の形状の変化、並びに、第１造影マーカ部４及び第２造影マーカ部５の位置関係、を見ることにより、カテーテル２の先端部２ａの奥手前方向Ａにおける動きを識別することができる。
【００６６】
このように本実施形態によれば、画像処理装置１０は、心臓の房室を所定方向から撮像したＸ線透視画像に基づくフォーマット図（第１の二次元画像）（図３等における輪郭線を参照）に、房室の心壁上の所定の関心部位を示すマーカを重畳した記録画像（第２の二次元画像）（図３等参照）を生成する画像処理部１２と、所定方向から見た奥行き方向を含む、関心部位の位置情報を取得する取得部１１と、を備える。画像処理部１２は、関心部位の位置情報に基づき、その関心部位を示すマーカの態様を異ならせる。
【００６７】
心臓の房室を所定方向から見た奥行き方向を含む、関心部位の位置情報に基づき、その関心部位のマーカの態様を異ならせることで、心臓の房室の心壁上の関心部位を、二次元画像上で三次元的に表現・記録する記録画像を生成することができる。さらに、複数の画像の再構成などの処理が不要であるため、より簡易に心臓の房室の心壁上の関心部位を二次元画像上で三次元的に表現・記録することができる。
【００６８】
なお、実施形態では特に触れていないが、画像処理装置１０は、コンピュータとプログラムとによっても実現することができる。また、当該プログラムは、コンピュータ読取り可能媒体に記録されてもよい。コンピュータ読取り可能媒体を用いれば、コンピュータにインストールすることが可能である。ここで、プログラムが記録されたコンピュータ読取り可能媒体は、非一過性の記録媒体であってもよい。非一過性の記録媒体は、特に限定されるものではないが、例えば、ＣＤ−ＲＯＭおよびＤＶＤ−ＲＯＭなどの記録媒体であってもよい。また、当該プログラムは、ネットワークを介して提供することも可能である。
【００６９】
本発明は、上述した実施形態で特定された構成に限定されず、特許請求の範囲に記載した発明の要旨を逸脱しない範囲内で種々の変形が可能である。例えば、各構成部、各ステップなどに含まれる機能などは論理的に矛盾しないように再構成可能であり、複数の構成部またはステップなどを１つに組み合わせたり、あるいは分割したりすることが可能である。
【符号の説明】
【００７０】
２    カテーテル
２ａ    カテーテルの先端部
３    造影マーカ
４    第１造影マーカ部
５    第２造影マーカ部
１０    画像処理装置
１１    取得部
１２    画像処理部
１３    記憶部
１２ａ，１２ｂ，１２ｃ，１２ｄ    マーカ
２０    表示装置
【図１】
2019154927.tif 000003
【図２】
2019154927.tif 000004
【図３】
2019154927.tif 000005
【図４】
2019154927.tif 000006
【図５】
2019154927.tif 000007
【図６】
2019154927.tif 000008
【図７】
2019154927.tif 000009
【図８】
2019154927.tif 000010